(57)【要約】      （修正有）【課題】処理ピット口の開閉空間をフラットな薄厚平面空間にして堅牢コンパクト構造にし、しかもガイドロールとガイドレール間の配置関係に変位が生じても常に適正な位置関係を保持し下蓋と上蓋の開閉動作を円滑安全に保持する処理ピット口の開閉蓋を提供する。【解決手段】下蓋の後部に上蓋の前部を連結可能に設け、処理ピット口１の幅方向両側の各上端面上に外側ガイドレールと内側ガイドレールを平行に配置し、両外側ガイドレールに上蓋の両側のガイドロールを係合させ、両内側ガイドレールに下蓋の両側のガイドロールを係合させて、下蓋と上蓋を展開して処理ピット口の上方に覆うことと下蓋と上蓋を移動させて処理ピット口の上方を全開、半開、両開き可能にする。下蓋及び上蓋のガイドロールは走行面の両側にフランジを有するフランジ型ガイドロールとする。【選択図】図１
0003216938.tif 000002
【実用新案登録請求の範囲】
【請求項１】
下蓋の後部に上蓋の前部を連結可能に設け、処理ピット口の幅方向両側の各上端面上に外側ガイドレールと内側ガイドレールを平行に配置し、前記両外側ガイドレールに前記上蓋の両側のガイドロールを係合させ、前記両内側ガイドレールに前記下蓋の両側のガイドロールを係合させて、前記下蓋と上蓋を展開して処理ピット口の上方に覆うことと下蓋と上蓋を移動させて処理ピット口の上方を全開、半開、両開き可能にした開閉蓋であり、
前記下蓋及び上蓋のガイドロールは走行面の両側にフランジを有するフランジ型ガイドロールとし、前記外側ガイドレールと内側ガイドレールはロールガイド部を当該フランジ型ガイドロールの両フランジ内に遊嵌可能に形成し、前記下蓋及び上蓋の一方側の前記ガイドロールを回転軸にその軸方向移動を不動にし、他方側のフランジ型ガイドロールを回転軸にその軸方向移動に所定範囲で可動自在に装着したことを特徴とする処理ピット口の開閉蓋。
【請求項２】
前記下蓋及び上蓋はその長手方向に複数に分割してガスシール材を介して連結し、その各々の両側に前記フランジ型ガイドロールを設けたことを特徴とする請求項１に記載の処理ピット口の開閉蓋。
【考案の詳細な説明】
【技術分野】
【０００１】  本考案は、処理ピット口の開閉蓋に関する。
本考案において処理ピット口とは、終末処理場における沈砂池等の処理池の開口部、或いはハッチ（：工場、船舶等の倉口，昇降口、貨物や人の出入口等）を言う。
【背景技術】
【０００２】  例えば、終末処理場は、通称として下水処理場といわれることもあり、「下水を最終的に処理して河川その他の公共の水域または海域に放流するために、下水道の施設として設けられる処理施設およびこれを補完する施設をいう。
前記処理施設の例としてはスクリーン、沈砂池、最初沈殿池、反応タンク、最終沈殿池、消毒設備などの水処理施設、および濃縮タンク、脱水機、焼却炉などの汚泥処理施設が挙げられる。【０００３】  前記沈砂池は、ポンプ場の前段に設けて、ゲート、揚砂機、渣除去装置：スクリーン（粗目、細目）、脱臭設備、除塵機等付属設備を設ける。そして下水の流速を緩めて、下水中の大きな砂やゴミを沈降させて取り除き、前後のポンプの摩耗防止、処理施設内での砂やゴミの堆積を防ぐ役割を担っている。
沈砂池は、太陽光を遮蔽して水に藻が発生しないようにするための防藻用カバー装置、（：特許文献１）又は汚水から発生する悪臭が外部に漏れないようにするための防臭カバー装置（：特許文献２及特許文献３）が施されている。【０００４】  特許文献１で紹介の防藻用カバー装置は、２枚の防藻用カバーを、水処理槽の開口を覆うように横に並べて配置し、それらのカバーの外側縁部を水処理槽の周囲壁に連結具を介して連結する。防藻用カバーの側縁部を上下方向で隙間を隔てて重ね合わせると共に、それらの側縁部を浮体に設けた支柱によって水面Ｗの上方で支持させたものである。
これにより安価で取扱性に優れ、メンテナンスも容易になり、槽底に設置した整流板などの水処理設備に邪魔されずに防藻用カバーを配備できるとしたものである。【０００５】  特許文献２で紹介の防臭カバーは、下蓋と上蓋を山折り可能に連結した対を複数対設け各対間を谷折可能に連結し、ピット（池）の幅方向両側上端面の同一平面上に外側ガイドレールと内側ガイドレールをピット（池）の長手方向に平行に配置し、外側ガイドレールに前記山折り連結部両側の小径ガイドロールを係合させ、内側ガイドレールに前記谷折連結部両側の大径ガイドロールを係合させて、牽引装置による牽引・押し込み作用により複数対の下蓋と上蓋を折り畳み開閉自在に可能にした防臭カバーである。
そして各対の前上蓋の連結部に設けるガイドロールはフラットな転動面を当該ガイドレールのフラット面上に踏面している。【０００５】  特許文献３で紹介の可動式覆蓋装置付き処理装置は、処理層の複数の開口部の側壁に沿って、移動自在に構成され重ね合わせ自在の上下２枚の臭気防止用の蓋を有する蓋ユニットと、蓋ユニットの蓋を移動停止させる細長状の駆動伝達部材と、その駆動装置とを備え、蓋ユニットの上下２枚蓋を互いにずらせて当該開口部上に展開位置させて開口部を閉止状態にし、重ね合せて開口部外に位置させて開口部を開状態にするもので、蓋ユニットの上下２枚の蓋は付設のガイドロールを、断面コの字のガイドレールに転動走行自在に係合される。即ち、下蓋のフラットガイドロールは、前記断面コの字のガイドレールの下面に踏面係合し、上蓋のフラットガイドロールは前記断面コの字のガイドレールの上面に踏面係合している。
【先行技術文献】
【特許文献】
【０００６】
【特許文献１】特開平９−２０６７３４号公報
【特許文献２】公開実用平成２−１０８７８５号公報
【特許文献３】公開実用平成３−８６０９０号公報
【考案の概要】
【考案が解決しようとする課題】
【０００７】  前記、特許文献１の防藻用カバーは、揚砂機、渣除去装置の併設沈砂池にはカバー開閉機構が必要となり対応が極めて困難であり、特許文献２の開閉自在な防臭カバーの採用が望まれる。【０００８】  しかしながら、特許２の防臭カバーは、折り畳み開閉蓋機構が複雑であり、しかも沈砂池上方部には広大な折り畳み開閉作用空間を必要とする。また前記内・外ガイドレールの灼熱変形や配置精度が悪いとガイドロールとガイドレール間の位置関係が狂いガイドロールが脱輪してしまうという危惧がある。【０００９】  また特許文献３の処理装置の蓋は、開閉作用空間を二段の平面空間にしてあるが、この例は、同一の断面コ字型のガイドレールの上下に上下の蓋を支持させるので開閉空間が高くなり且つ安定性が極めて悪い、しかも特許文献２と同様に前記内・外ガイドレールの灼熱変形や配置精度が悪いとガイドロールとガイドレール間の位置関係に狂いが生じてガイドロール走行に過大な負荷がかかり且つガイドロールが横ずれしガイドレールから脱輪してしまうなど走行に甚大な支障を来すと言う危惧は免れない。【００１０】  本考案は、処理ピット口の開閉空間をフラットな薄厚の平面空間にして堅牢コンパクト構造にし、しかもガイドロールとガイドレール間の配置関係に変化が生じてもガイドレールからガイドロールが横ずれすることなく脱輪を確実に防止し適正な位置関係を保持し、且つガイドロール走行に過大な負荷を掛けることなく開閉動作を円滑に維持することを可能にした処理ピット口の開閉蓋を提供するものである。
【課題を解決するための手段】
【００１１】  本考案は、前記課題を全て解決する優れた処理ピット口であり、その技術的特徴は次の（１）〜（２）の通りである。
（１）、下蓋の後部に上蓋の前部を連結可能に設け、処理ピット口の幅方向両側の各上端面上に外側ガイドレールと内側ガイドレールを平行に配置し、前記両外側ガイドレールに前記上蓋の両側のガイドロールを係合させ、前記両内側ガイドレールに前記下蓋の両側のガイドロールを係合させて、前記下蓋と上蓋を展開して処理ピット口の上方に覆うことと下蓋と上蓋を移動させて処理ピット口の上方を全開、半開、両開き可能にした開閉蓋であり、
前記下蓋及び上蓋のガイドロールは走行面の両側にフランジを有するフランジ型ガイドロールとし、前記外側ガイドレールと内側ガイドレールはロールガイド部を当該フランジ型ガイドロールの両フランジ内に遊嵌可能に形成し、前記下蓋及び上蓋の一方側の前記ガイドロールを回転軸にその軸方向移動を不動にし、他方側のフランジ型ガイドロールを回転軸にその軸方向移動に所定範囲で可動自在に装着したことを特徴とする処理ピット口の開閉蓋。【００１２】  （２）、前記下蓋及び上蓋はその長手方向に複数に分割してガスシール材を介して連結し、その各々分割蓋の両側に前記フランジ型ガイドロールを設けたことを特徴とする前記（１）に記載の処理ピット口の開閉蓋。
【考案の効果】
【００１３】  本考案の処理ピット口の開閉蓋は、「下蓋の後部に上蓋の前部を連結可能に設け、処理ピット口の幅方向両側の各上端面上に外側ガイドレールと内側ガイドレールを平行に配置し、前記両外側ガイドレールに前記上蓋の両側のガイドロールを係合させ、前記両内側ガイドレールに前記下蓋の両側のガイドロールを係合させて、前記下蓋と上蓋を展開して処理ピット口の上方に覆うことと下蓋と上蓋を移動させて処理ピット口の上方を全開、半開、両開き可能にした」ことにより、下蓋を上蓋の開閉空間をフラットな薄厚の平面空間にしてコンパクトな堅牢構造にする。【００１４】  更に「前記下蓋及び上蓋のガイドロールは走行面の両側にフランジを有するフランジ型ガイドロールとし、前記外側ガイドレールと内側ガイドレールはロールガイド部を当該フランジ型ガイドロールの両フランジ内に遊嵌可能に形成し、前記下蓋及び上蓋の一方側の前記ガイドロールを回転軸にその軸方向移動を不動にし、他方側のフランジ型ガイドロールを回転軸にその軸方向移動に所定範囲で可動自在に装着した」ことにより前記下蓋及び上蓋は、前記一方側のフランジ型ガイドロールの走行を基準にし、前記他方側のフランジ型ガイドロールの軸方向可動で、内・外ガイドレールの灼熱変形や配置精度による変位を吸収して、当該ガイドレールから離脱することなく脱輪を確実に防止して適正な位置関係を保持し、且つガイドロール走行に過大な負荷を掛けることなく円滑正常に安全走行させるため、下蓋と上蓋の開閉動作を安全円滑に維持することを可能にしたものである。
【図面の簡単な説明】
【００１５】
【図１】本考案の処理ピット口の実施例の沈砂池を示す全体配置平面説明図である。
【図２】本例の処理ピット口の開閉蓋の平面説明図である。
【図３】図２の矢視Ａ−Ａからの縦断面説明図である。
【図４】図２の矢視Ｂ−Ｂからの横断面説明図である。
【図５】図４の左側の拡大説明図である。
【図６】図４の右側の拡大説明図である。
【考案を実施するための形態】
【００１６】  考案を実施するための形態を次に記載の実施例により詳細に説明する。
【実施例１】
【００１７】  本考案の実施例の構成を図１〜図４に示す。
本例の処理ピット口１は終末処理場における沈砂池の上方開口部である。【００１８】  図１〜図６において、本例の処理ピット口１（沈砂池口）の開閉蓋は、複数に分割１００ａしガスシール材ｇを介して連結具１０１により連結した下蓋１００の後部に、同じく複数に分割２００ａしてガスシール材ｇを介して連結具２０１により連結した上蓋２００の前部を落としボルト４により解除可能に連結した蓋ユニット３と、処理ピット口１とその後方の幅方向両側上端面の上に平行に配置した各一対の外側ガイドレール５−１，５−２と内側ガイドレール６−１，６−２とからなる。【００１９】  前記蓋ユニット３は、下蓋１００と上蓋２００共に各分割蓋１００ａ，２００ａの上面両側にフック掛け具１０２，２０２を具備し、左右前後端縁に処理ピット口１の上端面縁に延在するガスシール用のフレキシブルカーテン１０３，２０３を垂設してある。【００２０】  前記蓋ユニット３は、前記両外側ガイドレール５−１，５−２に前記上蓋２００の両側のガイドロール２０４ａ，２０４ｂを係合させ、前記両内側ガイドレール６−１，６−２に前記下蓋１００の両側のガイドロール１０４ａ，１０４ｂを係合させて、手動あるいは電動モータ等の蓋駆動装置による牽引・押し込み作用により下蓋１００と上蓋２００を展開して処理ピット口１の上方の全域を覆うことと、下蓋１００と上蓋２００を移動させて処理ピット口１の上方を全開、半開、両開き可能にした開閉蓋であるが、本例は下蓋１００を上蓋２００内に収容しながら処理ピット口１の後方に移動退避させて処理ピット口１の上面の全域を開放可能にした開閉蓋の例である。【００２１】  前記下蓋１００の両側ガイドロール１０４ａ，１０４ｂと前記上蓋の両側ガイドロール２０４ａ，２０４ｂは、走行面の両側にフランジｆ１，ｆ２を有するフランジ型ガイドロールとしてある。
前記両外側ガイドレール５−１，５−２と両内側ガイドレール６−１，６−２は、上端部のロールガイド部を当該フランジ型ガイドロールの両フランジ内に遊嵌可能に形成したアングルレールにしてある。【００２２】  前記下蓋１００及び上蓋２００の一方側の前記ガイドロール１０４ａ、２０４ａは、回転支持軸ｓ１にその軸方向移動を不動に装着する。従って回転支持軸ｓ１を短くしその軸受け間隔をロール幅に近く狭く設定してある。また他方側の前記ガイドロール１０４ｂ、２０４ｂは、回転軸ｓ２に所定範囲でその軸方向移動が自在に装着した可動ロールである。従って回転軸ｓ２を長くしその軸受け間隔をロール幅より前記所定範囲広く設定してある。【００２３】  可動ロールにした前記他方側の前記ガイドロール１０４ｂ、２０４ｂは、図示していないが、その回転支持軸の軸受けに可塑性材を介在して支持すれば当該ガイドレールの長手方向の湾曲変形に対して左右に搖動して吸収しロール自体の損壊を防止する。【００２４】  以上に紹介した実施例は、前記した本考案の効果の全てを享受することを確認した。
【産業上の利用可能性】
【００２５】  本考案の、前記処理ピット口の施工業界及び製造業界に寄与すること多大なものがあり、産業上の利用可能性は極めて高い。
【符号の説明】
【００２６】１：処理ピット口（沈砂池口）
３：蓋ユニット
４：落としボルト
５−１，５−２：外側ガイドレール
ｆ１，ｆ２：フランジ
ｇ：ロールガイド部
ｓ１、ｓ２：回転軸
６−１，６−２：内側ガイドレール
１００：下蓋
２００：上蓋
１０１、２０１：連結具
１００ａ，２００ａ：分割蓋
１０２，２０２：フック掛け具
１０３，２０３：ガスシールカーテン
１０４ａ，１０４ｂ：内側のガイドロール
２０４ａ，２０４ｂ：外側のガイドロール
【図１】
0003216938.tif 000003
【図２】
0003216938.tif 000004
【図３】
0003216938.tif 000005
【図４】
0003216938.tif 000006
【図５】
0003216938.tif 000007
【図６】
0003216938.tif 000008